(57)【要約】【課題】多様な印刷物に対応して、より近似したプルーフを提供できるシステム等を提供する。【解決手段】印刷物の色空間とプルーフの色空間との対応テーブル１と、プルーフの各要素色濃度と制御値との対応テーブル２とを有し、テーブル１を用いて印刷物のデジタルデータの画素色と各要素色濃度との対応テーブル３を生成し、テーブル２とテーブル３からデジタルデータの画素色と制御値との対応テーブルを生成し制御値をプルーフの作成装置に出力する、目標印刷物のプルーフを形成するシステム。【選択図】  図６
2004229245.tif 000002
【特許請求の範囲】
【請求項１】
目標印刷物のデジタル画像データに基づいて、濃度が独立に可変である要素色を組み合わせて形成された画素の集合により、前記目標印刷物のプルーフとしての面積階調画像を形成するシステムであって、前記目標印刷物で用いられる色空間と前記面積階調画像で用いられる色空間との対応データを格納した第１のルックアップテーブルと、前記面積階調画像の各要素色の濃度と該各要素色の制御値との対応データを格納した第２のルックアップテーブルとを有し、前記第１のルックアップテーブルを用いて、前記デジタル画像データにより表現される各色と前記面積階調画像の各要素色濃度との対応データを格納した第３のルックアップテーブルを生成する要素色への分解処理部と、上記第２ルックアップテーブルと前記第３のルックアップテーブルとを用いて前記デジタル画像データの画素の各色と前記プルーフの各画素の制御値との対応テーブルを生成する処理部と、前記制御値を前記デジタル画像データの画素ごとに出力する出力部とを有することを特徴とする面積階調画像の形成システム。
【請求項２】
目標印刷物のデジタル画像データに基づいて、濃度が独立に可変である要素色を組み合わせて形成された画素の集合により、前記目標印刷物のプルーフとしての面積階調画像を、支持体上にシアン、マゼンタ、イエローの要素色を発色可能なハロゲン化銀乳剤層を有するハロゲン化銀感光材料を露光して形成するシステムであって、前記目標印刷物で用いられる色空間と前記面積階調画像で用いられる色空間との対応データを格納した第１のルックアップテーブルと、前記面積階調画像の各要素色の濃度と該各要素色の制御値との対応データを格納した第２のルックアップテーブルとを有し、前記第１のルックアップテーブルを用いて、前記デジタル画像データにより表現される各色と前記面積階調画像の各要素色濃度との対応データを格納した第３のルックアップテーブルを生成する要素色への分解処理部と、前記第２のルックアップテーブルと前記第３のルックアップテーブルとを用いて前記デジタル画像データの画素の各色と前記プルーフの各画素の露光制御値との対応テーブルを生成する露光処理部と、前記露光制御値を前記デジタル画像データの画素ごとに出力する出力部とを有することを特徴とする面積階調画像の形成システム。
【請求項３】
さらに、出力された面積階調画像の色を測定して色空間を求め、該色空間に基づいて第１のルックアップテーブルを修正し、該修正された第１のルックアップテーブルにより第３のルックアップテーブルを修正するフィードバック部を有することを特徴とする請求項１または２に記載の面積階調画像の形成システム。
【請求項４】
第１のルックアップテーブルが、目標印刷物で用いられる色空間を出力した標準チャートと、面積階調画像で用いられる色空間を出力した標準チャートとの対比により生成されたものである請求項１ないし３に記載の面積階調画像の形成システム。
【請求項５】
第１のルックアップテーブルにおける面積階調画像の色空間と、第２のルックアップテーブルにおける出力画像の各要素色濃度と、第３のルックアップテーブルにおける出力画像の要素色濃度とが、アナリティカル濃度で表されていることを特徴とする請求項１ないし４に記載の面積階調画像形成システム。
【請求項６】
第１のルックアップテーブルにおける面積階調画像の色空間と、第２のルックアップテーブルにおける出力画像の各要素色濃度と、第３のルックアップテーブルにおける出力画像の要素色濃度とが、ＣＩＥＬＡＢ色空間の座標で表されていることを特徴とする請求項１ないし４に記載の面積階調画像形成システム。
【請求項７】
第１のルックアップテーブルにおける面積階調画像の色空間と、第２のルックアップテーブルにおける出力画像の各要素色濃度と、第３のルックアップテーブルにおける出力画像の要素色濃度とが、ＣＩＥＬＵＶ色空間の座標で表されていることを特徴とする請求項１ないし４に記載の面積階調画像形成システム。
【請求項８】
第１のルックアップテーブルにおける面積階調画像の色空間と、第２のルックアップテーブルにおける出力画像の各要素色濃度と、第３のルックアップテーブルにおける出力画像の要素色濃度とが、ＸＹＺ色空間の座標で表されていることを特徴とする請求項１ないし４に記載の面積階調画像形成システム。
【請求項９】
目標印刷物のデジタル画像データに基づいて、濃度が独立に可変である要素色を組み合わせて形成された画素の集合により、前記目標印刷物のプルーフとしての面積階調画像を形成する方法であって、前記目標印刷物で用いられる色空間と前記面積階調画像で用いられる色空間との対応データを格納した第１のルックアップテーブルと、前記面積階調画像の各要素色の濃度と該各要素色の制御値との対応データを格納した第２のルックアップテーブルとを生成し、前記第１のルックアップテーブルを用いて、前記デジタル画像データにより表現される各色と前記面積階調画像の各要素色濃度との対応データを格納した第３のルックアップテーブルを生成し、前記第２のルックアップテーブルと前記第３のルックアップテーブルとを用いて前記デジタル画像データの画素の各色と前記プルーフの各画素の制御値との対応テーブルを生成し、前記デジタル画像データの画素ごとに前記制御値を出力することを特徴とする面積階調画像の形成方法。
【請求項１０】
さらに、出力された面積階調画像の色を測定して色空間を求め、該色空間に基づいて第１のルックアップテーブルを修正し、該修正された第１のルックアップテーブルにより第３のルックアップテーブルを修正することを特徴とする請求項９に記載の面積階調画像の形成方法。
【請求項１１】
目標印刷物のデジタル画像データに基づいて、濃度が独立に可変である要素色を組み合わせて形成された画素の集合により、前記目標印刷物のプルーフとしての面積階調画像を形成するためのコンピュータ読み取り可能なプログラムであって、前記目標印刷物で用いられる色空間と前記面積階調画像で用いられる色空間との対応データを格納した第１のルックアップテーブルと、前記面積階調画像の各要素色の濃度と該各要素色の制御値との対応データを格納した第２のルックアップテーブルとを有し、前記第１のルックアップテーブルを用いて、前記デジタル画像データにより表現される各色と前記面積階調画像の各要素色濃度との対応データを格納した第３のルックアップテーブルを生成する要素色への分解処理工程と、上記第２ルックアップテーブルと前記第３のルックアップテーブルとを用いて前記デジタル画像データの画素の各色と前記プルーフの各画素の制御値との対応テーブルを生成する処理工程と、前記制御値を前記デジタル画像データの画素ごとに出力する出力工程とをコンピュータに実行させるための面積階調画像の形成プログラム。
【請求項１２】
さらに、出力された面積階調画像の色を測定して色空間を求め、該色空間に基づいて第１のルックアップテーブルを修正し、該修正された第１のルックアップテーブルにより第３のルックアップテーブルを修正するフィードバック工程をコンピュータに実行させる請求項１１に記載の面積階調画像の形成プログラム。
【発明の詳細な説明】
【０００１】
【発明の属する技術分野】
本発明は、目標印刷物の仕上がりを事前に確認するいわゆるプルーフ（校正刷り）を形成するためのシステムまたはそのためのコンピュータが読み取り可能なプログラム、さらには方法に関し、詳しくは、特色の使用や印刷用紙の光沢の違い等に基因する目標印刷物の多様さに対応して、目標印刷物をより正確に近似できるプルーフを形成するためのシステムまたはそのためのコンピュータが読み取り可能なプログラム、さらには方法に関する。
【０００２】
【従来の技術】
多色刷り製版印刷の分野では、本印刷を行なう前にプルーフを作成し、予定印刷物のレイアウトや内容の確認および、特に表現される色が目標印刷物どおりになっているかどうかを確認することが必要とされる。
【０００３】
近年、コンピュータ上の画像データに基づいて直接印刷版を得るいわゆるＣＴＰ（Ｃｏｍｐｕｔｅｒ  Ｔｏ  Ｐｌａｔｅ）技術の進展に伴い、プルーフに関してもコンピュータ上のデータから直接プルーフを得ることが望まれている。そのための方式として昇華方式、溶融熱転写方式や電子写真方式、インクジェット方式等の応用が試みられてきた。しかし、これらは高画質に色を再現した画像が得られる方式では費用がかかって生産性が劣り、逆に費用が少なくてすみ生産性に優れた方式では画質が劣ってしまうという欠点が指摘されている。
【０００４】
また、その他の方法として、コンピュータ上の画像データに基づいて、ハロゲン化銀感光材料を赤（Ｒ）、緑（Ｇ）、青（Ｂ）の発光ダイオード等で直接露光してプルーフを得る方法も知られている。この方法は、優れた鮮鋭性を示すこと、正確な網点画像が形成できることなど、高画質な画像形成が可能であり、さらに連続した処理が可能で高い生産性を実現できる利点を有している。
【０００５】
ところで、通常、印刷物では、マゼンタ（Ｍ）、シアン（Ｃ）、イエロー（Ｙ）、ブラック（Ｋ）の４色の印刷インキが、いわゆるプロセスカラーとして用いられる。そして、これらがあらかじめ定められた刷り順に従って順次印刷が行なわれて、印刷インキの重ねにより様々な色調を表現する。そのため、上記のハロゲン化銀感光材料を用いる方法では、この４色の組み合わせによる印刷物において発色する色の各々について色分解を行なって、対応するプルーフを作成する際の露光条件をあらかじめ決定しておく必要がある。上記の４色の場合、あらかじめ決定すべき露光条件は、４色の組み合わせの数および印刷用紙の色である白の合計１６種類となる。
【０００６】
さらに、実際の印刷物では、プロセスカラーだけでは表現できない微妙な色調に対応するなどのため、プロセスカラーに加えて特色と呼ばれる印刷インキを合わせて用いることも多い。また、あらかじめ着色された印刷用紙を用いることもあるし、さらに、上質紙やアート紙、コート紙等と呼ばれる各種の印刷用紙を用いる場合等には、印刷用紙と印刷インキとの相性等により、インキの染込み等に差異が生じることも多い。これらの条件は全て印刷物の発色に影響するため、上記のハロゲン化銀感光材料を用いる方法では、その各々の場合について、対応する露光条件をあらかじめ決定しておく必要が生じる。
【０００７】
ところが、印刷物でプロセスカラーに加え特色が１色使用された場合には、プルーフにおいてあらかじめ決定すべき露光条件は３２種類となり、２色使用された場合には６４種類となる。このように、対応すべき条件が一つ増えるごとにあらかじめ決定すべき露光条件はねずみ算式に増加する。つまり、多様な印刷物に対応して正確に近似できるプルーフを得られるシステムを構築しようとすると、色およびシステムに関する知識と多大な労力を要する困難な作業が必要となってしまう。
【０００８】
ここで、ハロゲン化銀感光材料を用いて目標印刷物に近似したプルーフを得る方法としては、支持体上に少なくとも一層のハロゲン化銀感光材料を、直接変調された発光ダイオードを光源として、デジタルデータに基づいて独立に制御し面積階調画像を形成する画像形成方法が開示されている（特許文献１参照）。この文献では、濃度とドットゲインが画像露光によって独立に制御されることにより、安定した色調を有する面積階調画像が得られるとしている。
【０００９】
また、ハロゲン化銀感光材料の性能のばらつきに対応するため、基準となる光量で別々に単色露光を行い、あらかじめ露光量と分解発色濃度の関係を得て、露光量を補正することにより、感光材料の性能変動に対応して、プルーフの色再現性を確保する画像形成方法が開示されている（特許文献２参照）。
【００１０】
【特許文献１】
特開２００１−３０５７０１号公報（請求項参照）
【特許文献２】
特開２００２−３６５７４５号公報（請求項４参照）
【００１１】
【発明が解決しようとする課題】
本発明は、特色の使用や多様な印刷用紙の使用などによる多様な印刷物に対応して、より近似したプルーフを提供できるシステム等を提供することを課題とする。好ましくは、ハロゲン化銀感光材料を用いて、より近似したプルーフを得るためのシステム等を提供することを課題とする。
【００１２】
【課題を解決するための手段】
本発明者らは、上記課題を解決するために鋭意研究の結果、下記により上記課題を解決できることを見いだし、本発明を完成するに到ったものである。
【００１３】
本発明の第１は、目標印刷物のデジタル画像データに基づいて、濃度が独立に可変である要素色を組み合わせて形成された画素の集合により、前記目標印刷物のプルーフとしての面積階調画像を形成するシステムであって、前記目標印刷物で用いられる色空間と前記面積階調画像で用いられる色空間との対応データを格納した第１のルックアップテーブルと、前記面積階調画像の各要素色の濃度と該各要素色の制御値との対応データを格納した第２のルックアップテーブルとを有し、前記第１のルックアップテーブルを用いて、前記デジタル画像データにより表現される各色と前記面積階調画像の各要素色濃度との対応データを格納した第３のルックアップテーブルを生成する要素色への分解処理部と、上記第２ルックアップテーブルと前記第３のルックアップテーブルとを用いて前記デジタル画像データの画素の各色と前記プルーフの各画素の制御値との対応テーブルを生成する処理部と、前記制御値を前記デジタル画像データの画素ごとに出力する出力部とを有することを特徴とする面積階調画像の形成システムである。
【００１４】
この構成により、多大な労力を要することなく多様な印刷物に対応できて、かつ目標印刷物により近似したプルーフが得られるシステムが得られる。また、プルーフ構成材料の特性の変化などにも容易に対応ができ、ユーザーごとの好み、印刷条件の違いなどにもきめ細かく対応できる。また、網点をさらに分割した画素を単位として色を制御し、この画素の集合体として網点を形成した場合に、この画素ごとの濃度を的確に制御することが可能となり、より近似したプルーフを得ることができる。
【００１５】
発明の第２は、目標印刷物のデジタル画像データに基づいて、濃度が独立に可変である要素色を組み合わせて形成された画素の集合により、前記目標印刷物のプルーフとしての面積階調画像を、支持体上にシアン、マゼンタ、イエローの要素色を発色可能なハロゲン化銀乳剤層を有するハロゲン化銀感光材料を露光して形成するシステムであって、前記目標印刷物で用いられる色空間と前記面積階調画像で用いられる色空間との対応データを格納した第１のルックアップテーブルと、前記面積階調画像の各要素色の濃度と該各要素色の制御値との対応データを格納した第２のルックアップテーブルとを有し、前記第１のルックアップテーブルを用いて、前記デジタル画像データにより表現される各色と前記面積階調画像の各要素色濃度との対応データを格納した第３のルックアップテーブルを生成する要素色への分解処理部と、前記第２のルックアップテーブルと前記第３のルックアップテーブルとを用いて前記デジタル画像データの画素の各色と前記プルーフの各画素の露光制御値との対応テーブルを生成する露光処理部と、前記露光制御値を前記デジタル画像データの画素ごとに出力する出力部とを有することを特徴とする面積階調画像の形成システムである。この構成により、ハロゲン化銀感光材料を用いた、より目標印刷物に近似したプルーフを得ることができる。
【００１６】
ここで、さらに、出力された面積階調画像の色を測定して色空間を求め、該色空間に基づいて第１のルックアップテーブルを修正し、該修正された第１のルックアップテーブルにより第３のルックアップテーブルを修正するフィードバック部を有することは好ましい。
【００１７】
また、第１のルックアップテーブルが、目標印刷物で用いられる色空間を出力した標準チャートと、面積階調画像で用いられる色空間を出力した標準チャートとの対比により生成されたものであることは好ましい。
【００１８】
ここで、第１のルックアップテーブルにおける面積階調画像の色空間と、第２のルックアップテーブルにおける出力画像の各要素色濃度と、第３のルックアップテーブルにおける出力画像の要素色濃度とが、アナリティカル濃度で表されていることは好ましい。
【００１９】
また、第１のルックアップテーブルにおける面積階調画像の色空間と、第２のルックアップテーブルにおける出力画像の各要素色濃度と、第３のルックアップテーブルにおける出力画像の要素色濃度とが、ＣＩＥＬＡＢ色空間の座標で表されていることは好ましい。
【００２０】
また、第１のルックアップテーブルにおける面積階調画像の色空間と、第２のルックアップテーブルにおける出力画像の各要素色濃度と、第３のルックアップテーブルにおける出力画像の要素色濃度とが、ＣＩＥＬＵＶ色空間の座標で表されていることは好ましい。
【００２１】
また、第１のルックアップテーブルにおける面積階調画像の色空間と、第２のルックアップテーブルにおける出力画像の各要素色濃度と、第３のルックアップテーブルにおける出力画像の要素色濃度とが、ＸＹＺ色空間の座標で表されていることは好ましい。
【００２２】
発明の第３は、目標印刷物のデジタル画像データに基づいて、濃度が独立に可変である要素色を組み合わせて形成された画素の集合により、前記目標印刷物のプルーフとしての面積階調画像を形成する方法であって、前記目標印刷物で用いられる色空間と前記面積階調画像で用いられる色空間との対応データを格納した第１のルックアップテーブルと、前記面積階調画像の各要素色の濃度と該各要素色の制御値との対応データを格納した第２のルックアップテーブルとを生成し、前記第１のルックアップテーブルを用いて、前記デジタル画像データにより表現される各色と前記面積階調画像の各要素色濃度との対応データを格納した第３のルックアップテーブルを生成し、前記第２のルックアップテーブルと前記第３のルックアップテーブルとを用いて前記デジタル画像データの画素の各色と前記プルーフの各画素の制御値との対応テーブルを生成し、前記デジタル画像データの画素ごとに前記制御値を出力することを特徴とする面積階調画像の形成方法である。
【００２３】
ここで、さらに、出力された面積階調画像の色を測定して色空間を求め、該色空間に基づいて第１のルックアップテーブルを修正し、該修正された第１のルックアップテーブルにより第３のルックアップテーブルを修正することは好ましい。
【００２４】
発明の第４は、目標印刷物のデジタル画像データに基づいて、濃度が独立に可変である要素色を組み合わせて形成された画素の集合により、前記目標印刷物のプルーフとしての面積階調画像を形成するためのコンピュータ読み取り可能なプログラムであって、前記目標印刷物で用いられる色空間と前記面積階調画像で用いられる色空間との対応データを格納した第１のルックアップテーブルと、前記面積階調画像の各要素色の濃度と該各要素色の制御値との対応データを格納した第２のルックアップテーブルとを有し、前記第１のルックアップテーブルを用いて、前記デジタル画像データにより表現される各色と前記面積階調画像の各要素色濃度との対応データを格納した第３のルックアップテーブルを生成する要素色への分解処理工程と、上記第２ルックアップテーブルと前記第３のルックアップテーブルとを用いて前記デジタル画像データの画素の各色と前記プルーフの各画素の制御値との対応テーブルを生成する演算工程と、前記制御値を前記デジタル画像データの画素ごとに出力する出力工程とをコンピュータに実行させるための面積階調画像の形成プログラムである。
【００２５】
ここで、さらに、出力された面積階調画像の色を測定して第１のルックアップテーブルを修正し、該修正された第１のルックアップテーブルにより第３のルックアップテーブルを修正するフィードバック工程をコンピュータに実行させることは好ましい。
【００２６】
【発明の実施の形態】
以下、本発明を図面を用いて詳細に説明する。ここでは、プルーフとして、支持体上にマゼンタ（Ｍ）、シアン（Ｃ）、イエロー（Ｙ）の発色可能な各ハロゲン化銀乳剤層を有するハロゲン化銀感光材料を用いた面積階調画像の形成システムを例として説明を行う。また、ハロゲン化銀感光材料を用いる以外の、プルーフを得るための上記した各種方式に本発明を適用することも可能である。
【００２７】
なお、本発明で用いる面積階調画像という用語は、以下に説明する実施態様例においては、特定の濃度に発色した部分の面積の大小で階調を表現するものを指しており、いわゆる網点と同義と考えることができる。
【００２８】
本発明では、コンピュータ上で構成される目標印刷物を印刷するためのデジタル画像データを用いてプルーフを得る。このデジタル画像データは、そこから直接、印刷で用いるプロセスカラーや特色の印刷版を出力することを目的としているから、各画素の色は、印刷に用いる印刷版の組み合わせで表現されている。この例を図１の表に示す。縦軸が各画素であり、横軸が各印刷版に対応する。ここでは、画像をｎ個の画素に分割した場合に、各画素ごとに、プロセスカラーや特色の刷り重ねが行なわれるか否かが、「１」（刷り重ねる）と「０」（刷り重ねない）のコードで表現されている。
【００２９】
まず、図２は、面積階調画像の形成システムの概要を図示したブロック図である。この記憶部２００から説明する。
【００３０】
記憶部２００には、目標印刷物の印刷で用いられる色空間と、プルーフとして用いられる面積階調画像で用いられる色空間との対応データを格納した第１のルックアップテーブル２１０が格納されている。このテーブルでは、目標印刷物の色空間としてはＣＩＥＬＡＢ色空間を用い、Ｌ＊、ａ＊、ｂ＊座標の値によるデータを格納している。ＣＩＥＬＡＢ色空間は、ＣＩＥ  １９７６（Ｌ＊ａ＊ｂ＊色空間）を意味し、その座標の求め方は、ＪＩＳ  Ｚ  ８７２９−１９９４  の記載にしたがっている。なお、目標印刷物の色空間は、ＣＩＥＬＡＢ色空間ではなく、ＣＩＥＬＵＶ色空間（ＣＩＥ  １９７６Ｌ＊ｕ＊ｖ＊色空間）を用いても良いし、ＸＹＺ色空間を用いても良い。
【００３１】
この例では、色空間の座標を全部用いて色を特定しているが、一部の値だけを用いるようにしても良い。例えばイエロー（Ｙ）についてはｂ＊で代表させてもよい対応が得られる。
【００３２】
また、このテーブルでは光学濃度を用いたデータを格納するようにしても良い。光学濃度としては、この場合、特定の色の光学濃度を表すいわゆるインテグラル濃度であってもよいし、この色を構成する各要素色の光学濃度に対応するアナリティカル濃度であってもよい。アナリティカル濃度を用いると後述する第２のルックアップテーブルのデータを得るのが容易になり好ましい。
【００３３】
光学濃度の分光条件としては、ＩＳＯ５−３：１９９５ステータスＡ、ステータスＴ等を特に制限無く用いてよいが、ハロゲン化銀感光材料を用いた場合には、発色の差を精度よく表現できるステータスＡが好ましい。
【００３４】
プルーフとして用いられる面積階調画像で用いられる色空間についても、目標印刷物の色空間と同様にして色座標が求められ、さらに各色をＹＭＣに光学分解したアナリティカル色濃度のデータが結びつけられて格納されている。
【００３５】
目標印刷物の色空間とプルーフとして用いられる面積階調画像で用いられる色空間の対応は、同じ色どうしが１対１対応となるように対比して定められて、互いに結び付けられてデータが格納されている。目標印刷物の色空間の色のうち、プルーフとして用いられる面積階調画像で用いられる色空間に対応する色がない場合には、面積階調画像の色空間において最も空間距離的に最も近い色の色座標が、対応する色として定められ、第１のルックアップテーブルに目標印刷物の該当する色と結び付けて格納される。
【００３６】
なお、ある範囲の色に関して、例えば、赤みがかったようにすることでより正確なプルーフが得られることが経験的にわかっている場合には、その経験値に基づいて、目標印刷物の色空間の前記ある範囲の色に対応する、面積階調画像の色空間の色を赤の方向にずらすようにして定め、テーブルに格納していても良い。つまり、対比データは、分光測定による色差が最少になるように定義してもよいが、画像が目視により観察されたときに好ましい結果を与えるようにして定めてあってもよい。
【００３７】
第１のルックアップテーブル２１０は、第１ＬＵＴ生成部１１０（後述する。）によって生成される。この例における第１ＬＵＴ生成部１１０は、形成システムの中に設けているが、システムの外に設けておき、生成された第１のルックアップテーブルだけをシステムにデータ転送するようにしても良い。
【００３８】
このように、印刷機により印刷される目標印刷物の色空間と、プルーフで表現される面積階調画像の色空間との対応関係を、あらかじめ機械的に定めた第１のルックアップテーブルを用意しているので、多様な印刷物にも容易に対応することが可能となる。
【００３９】
次に、記憶部１００の第２のルックアップテーブル２２０について説明する。第２のルックアップテーブル２２０は、ハロゲン化銀感光材料を露光する際の露光量とそれにより生ずる色濃度との関係を与えるテーブルである。このテーブルの例を図３に示す。
【００４０】
このテーブルには、目標印刷物で使用する印刷用紙、プルーフで使用する感光材料のロット特性、使用する印刷用紙等の条件を反映して、発光ダイオードで露光可能な範囲で生じるＹ、Ｍ、Ｃごとの色濃度のデータ（例えば特開２００２−３４１４７０号実施例に記載のハロゲン化銀感光材料Ｎｏ．１０１においては、発光ダイオードのＲ露光でＭ発色が生じ、Ｇ露光でＣ発色が生じ、Ｂ露光でＹ発色が生じる関係にある。）が、発光ダイオードの制御可能な最大ｍステップの各ステップごとに付された各ダイオードごとの露光量制御コードと結びつけて格納されている。
【００４１】
次に、第３のルックアップテーブル２３０は、要素色への分解処理部１２０により、第１のルックアップテーブル２１０から生成される。このテーブルの例を図４として示す。このテーブルは、目標印刷物の印刷インキの組み合わせにより表現される各色に対し、第１のルックアップテーブル２１０に基づいて対応させたプルーフの各色を、それぞれＹ、Ｍ、Ｃに分解した光学濃度であるアナリティカル濃度の値とに結びつけて格納したものである。ここで、Ｗは、印刷インキが刷られておらず印刷用紙の白がそのまま現れる画素の部分であり、Ｋ＋Ｙは、墨とイエローのインキが刷り重ねられた画素の部分を意味し、図１のテーブルで、ＫとＹの版のコードが「１」であり他の版のコードが「０」であることに対応する。また、Ｓ１は特色の１色目であり、Ｓ２は特色の２色目を意味する。上質紙やアート紙、コート紙等印刷用紙の違い、あるいは印刷用紙の着色の度合いの違い、印刷インクの違い等によっても異なるテーブルが得られる。
【００４２】
次に、処理部１００について説明する。まず、第１のルックアップテーブル生成部１１０について説明する。
【００４３】
第１のルックアップテーブル生成部１１０は、目標印刷物やプルーフのテストチャートを取り込む導入部と、テストチャート等を分光測定する測定部と、測定したデータに基づいて目標印刷物とプルーフで用いられる色空間を構成すると共に、それら目標印刷物の色空間とプルーフの色空間との対比を行なう解析部と、プルーフのベタ濃度や墨網調整等の微調整を行う調整部とからなる。
【００４４】
まず、目標印刷物若しくは別途作成された目標印刷物に対応する一定のテストチャートを導入部で取り込み、その色濃度を測定部で分光測定する。このデータに基づき、解析部で目標印刷物の色空間が求められる。この色の測定においては、ＪＩＳ  Ｚ  ８７２２−２０００  「５．３．１照明及び受光の幾何学的条件」で規定される条件ｂを好ましく用いているが、条件ａ〜条件ｄの何れの条件を用いてもよい。また、分光測色法については、同じく「５．２分光測光器」に記載されている第１種分光測色器を用いているが、第２種分光測色器であっても良いし、さらにこれらに準じた分光測色器を用いてもよい。
【００４５】
プルーフとして用いられる面積階調画像で用いられる色空間についても、目標印刷物の場合と同様に、使用する色を網羅した同様のテストチャートを別途用意し、そのテストチャート等の色濃度を逐次分光測定することにより求めている。
【００４６】
目標印刷物の色空間とプルーフとして用いられる面積階調画像で用いられる色空間との対応は、目標印刷物の色空間におけるある色の色座標と、面積階調画像の色空間において同じ色座標となる色がある場合は、その色を対応する色として定める。面積階調画像の色空間において同じ色座標の色がない場合には、面積階調画像の色空間において、近傍の色のデータから対応する色を求め、同じ色であるとして定める。このようにして、目標印刷物の色空間の各色に対して、面積階調画像の色空間の色が必ず一意に対応するようにして定める。
【００４７】
なお、ある範囲の色に関して、例えば、赤みがかったようにすることでより正確なプルーフが得られることが経験的にわかっている場合には、その経験値に基づいて、目標印刷物の色空間に対応する面積階調画像の色空間の前記ある範囲の色に対応する色を赤の方向にずらすようにして定める調整手段を含めても良い。
【００４８】
このようにして定めた二つの色空間の対応関係データをテーブルに格納し、第１のルックアップテーブル２１０とする。これを記憶部２００に格納する。なお、第１のルックアップテーブルは、２つの色空間の対応関係を規定するものであればよく、複数のテーブルの組み合わせによってその機能を果たすようにしてもよい。例えば、印刷物のＬ＊、ａ＊、ｂ＊の値と対応する好ましい面積階調画像のアナリティカル濃度の対応として第１のルックアップテーブルを作成する代わりに、代表的な色で印刷物のＬ＊、ａ＊、ｂ＊の値とこれに対応する好ましい面積階調画像のＬ＊、ａ＊、ｂ＊の値を対応付け、別途面積階調画像の色域でＬ＊、ａ＊、ｂ＊の値とアナリティカル濃度の対応を規定し、両者を用いることにより印刷物のＬ＊、ａ＊、ｂ＊の値とこれに対応する好ましい面積階調画像のアナリティカル濃度を対応させてもよい。
【００４９】
次に、処理部１３０は、画像データから、第３のルックアップテーブル２３０を用い、画素を構成するＹ、Ｍ、Ｃの発色量を求め、第２のルックアップテーブルから、Ｙ、Ｍ、Ｃ発色のそれぞれに対する露光制御コードを読み取り、これらを組み合わせて、目標印刷物の各色に対するプルーフのＹ、Ｍ、Ｃ発色の露光制御値を格納した露光制御テーブルを生成する。この例を図５に示す。これに基づき、画素を特定するデータと結び付けて出力部１４０に送る。
【００５０】
出力部１４０は、処理部１３０から送られた露光制御コードを、専用の制御出力インターフェイス３２０を介して、露光装置に送る。露光装置では、各画素ごとに露光制御コードの指示にしたがって露光用の発光ダイオードを駆動し、露光装置にセッティングされたハロゲン化銀感光材料を露光して、目的のプルーフを作成する。出力される制御値は、電流値など、システムの違いに対応して好ましく扱える任意の値を使用してもよい。
【００５１】
フィードバック部１５０は、露光装置から出力された面積階調画像のプルーフを用い、これが第１のルックアップテーブル生成部１１０の導入部から取り込まれた場合に、その色を測定して目標とした色とのずれを計算し、これを補正するように第３のルックアップテーブルを修正する機能を有する。これにより、より目標印刷物に近似したプルーフを得ることができるようになる。
【００５２】
本システムの処理流れの概要を、図６〜９のフローチャートを用いて簡単に説明する。
【００５３】
まず、図６は、第３のルックアップテーブルを生成するまでのフローの概略を示した図面である。第３のルックアップテーブルを生成する処理は、新しい印刷用紙を使用するなど、それまでにない新しい印刷条件を用いて印刷物を印刷する場合ごとに行なう。
【００５４】
処理がスタートして目標印刷物のテストチャートが第１ルックアップテーブル生成部１１０の導入部から読み込まれると、その目標印刷物のテストチャートを分光測定し（ＳＳ００２ステップ）、ＣＩＥＬＡＢにおける目標印刷物の色空間を設定する（ＳＳ００３）。続いて、目標印刷物と同様にプルーフのテストチャートが導入部から読み込まれると、それを測定部で分光測定し（ＳＳ００４）、解析部がプルーフで用いられる色空間を設定する（ＳＳ００５）。続いて、解析部が目標印刷物の各色に対応するプルーフの色空間において対応する色を決定する（ＳＳ００６）。これらのデータを用いて、色空間の対応データを格納した第１のルックアップテーブルを生成する（ＳＳ００７）。さらにこの第１のルックアップテーブルを用いて、目標印刷物の刷り重ねの各色ごとに、対応するプルーフの要素色の濃度を対応させた第３のルックアップテーブルを生成して（ＳＳ００８）、処理を終了する。ここで生成された第３のルックアップテーブルと第２のルックアップテーブルを組み合わせて、各色の露光量を制御する露光制御テーブルが構成される。
【００５５】
図７は、図６に示された第３のルックアップテーブル生成の内容を示したフローチャートである。まず第３のルックアップテーブルに含まれる、画像データにより表現される色と各要素色濃度のデータの数をカウントするカウンタ（ｋ）を１にセットする（ステップＳＳ００２）。次に目標印刷物のテストチャートのうち必要な色を選択して測定し（ＳＳ００３）、第１のルックアップテーブルにより対応する面積階調画像の要素色濃度を求める（ＳＳ００４）。カウンタを１増加し、第３のルックアップテーブルのデータ数と比較する（ＳＳ００６）。これを上回れば処理を終了し、そうでなければステップＳＳ００３に戻り処理を繰り返す。
【００５６】
図８は、ハロゲン化銀感光材料を露光し、プルーフ画像を形成する処理の概要を示したフローチャートであり、別途作成された目標印刷物のデジタル画像データを用いて、プルーフを作成するための露光量データを得る処理のフローである。処理がスタートすると、目標印刷物のデジタル画像の画素のうち最初の１つ（ｉ＝１）を特定する（ＳＳ０１１）。次に、特定された画素についての図１の表に記載されたごとき色のデータを読み込む（ＳＳ０１４）。続いてこの色データに対応するプルーフのＹ、Ｍ、Ｃ発色に関する露光量データのうち最初の一つである（ｊ＝１）露光量コードを、露光制御テーブルから読み込む（ＳＳ０１５）。これを、残るＭ発色とＣ発色についても繰り返し行なう（ＳＳ０１５〜ＳＳ０１７）。Ｙ、Ｍ、Ｃのいずれに関しても読み込みが終了したら、フローはＳＳ０１７ステップから下に分岐して、画素を特定するデータと結びつけて、その画素の露光量コードを露光装置に出力する（ＳＳ０１８）。これを、ＳＳ０２０ステップからＳＳ０１３ステップに戻り、デジタル画像データのｎ個の画素全てについて出力が終了するまで繰り返す（ＳＳ０１３〜ＳＳ０２０）。ＳＳ０２０ステップにおいて、全ての画素について露光量コードの出力が終了したと判断されたら、フローはＳＳ０２０ステップから下に分岐して、処理は終了する。露光装置は、形成システムから出力された露光量コードを用い、画素ごとにハロゲン化銀感光材料を露光してプルーフを作成する。ここで、露光量コードを出力するステップ（ＳＳ０１８）は、処理を終わったデータを一時記憶しておき、適当な数のデータの処理が終わった後で一括して出力してもよい。
【００５７】
次に、面積階調画像の形成システムに関するハードウェア構成の例を、図９と図１０に示す。図９はスタンドアローンのコンピュータ上にシステムが構築されている例である。記憶部２００はハードディスク（ＨＤ）５２０に格納されており、中央演算装置（ＣＰＵ）５００が必要なデータを随時読み出して、一時メモリ（ＲＡＭ）５１０にストアして処理を行なう。このシステム例では、テストチャートの読み込み装置５３０が組み込まれており、また、各種操作を行なうための入力デバイス５４０と、処理状況を表示するディスプレイ５５０が設けられている。また、システムから出力される露光量コードによりハロゲン化銀感光材料を露光するための露光装置が接続されている。
【００５８】
図１０は、形成システムがインターネットを利用して構成されている例であり、複数の露光装置を分散して設けることができる例である。このシステムでは、記憶部が格納されたデータベース７００、データベースを管理すると共に各種処理を実行するサーバ７１０、デジタル画像データを編集するための編集端末７２０、テストチャートを読み込むための読み込み装置７３０、プルーフを作成するための露光装置７６０、外部と通信するためのルータ７４０が、ＬＡＮ（Ｌｏｃａｌ  Ａｒｅａ  Ｎｅｔｗｏｒｋ）により接続されて構成されている。ルータはインターネットに接続されており、ＬＡＮはインターネットを介して、各営業店またはユーザーに設置された複数の露光装置７６０のいずれにも接続できるようになっている。また、編集端末７２０には、周辺機器として入力デバイス、ディスプレイ、プリンタ等が接続されている。インターネットではなく、ＷＡＮ（Ｗｉｄｅ  Ａｒｅａ  Ｎｅｔｗｏｒｋ）や専用回線で接続していても良い。なお、入力デバイスとはキーボード、マウスなどの入力装置をいう。ディスプレイとは、ＣＲＴ（Ｃａｔｈｏｄｅ  Ｒａｙ  Ｔｕｂｅ）や液晶表示装置などを言う。
【００５９】
本システムの記憶部２００は、ハードディスク装置や光磁気ディスク装置、フラッシュメモリなどの不揮発性メモリや、ＲＡＭのような揮発性のメモリ、あるいはこれらの組み合わせにより構成される。
【００６０】
露光装置７６０の露光光源は、公知のＲ、Ｇ、Ｂの発光ダイオードを用いているが、レーザーを用いても良い。レーザーを用いる場合は、半導体レーザー（以下、ＬＤと表す）がコンパクトであること、光源の寿命が長い、安価であり、かつ比較的高出力のものが得られるという長所を有しており、好ましい。また、ガスレーザーを用いても良い。
【００６１】
露光光源としては、各発光ダイオードやレーザーを単独で用いてもよいし、これらを組合せ、マルチビームとして用いてもよい。ＬＤの場合には、例えば１０個のＬＤを並べることにより１０本の光束からなるビームが得られる。
【００６２】
露光用光源の強度変化は、各発光ダイオードに流れる電流値を変化させる直接変調によっていることが好ましい。ＬＤの場合には、ＡＯＭ（音響光学変調子）のような素子を用いて強度を変化させてもよい。ガスレーザーの場合には、ＡＯＭ、ＥＯＭ（電気光学変調子）等のデバイスを用いればよい。
【００６３】
面積階調画像の形成システムは、コンピュータに実行させることにより面積階調画像を得ることができるプログラムとして表現することもできるし、また、このプログラムを格納したコンピュータ読み取り可能な記録媒体として表現することもできる。なお、プログラムは、任意に分割し、分割したものをそれぞれに記憶媒体に格納することも可能である。ここで、記録媒体とは、フレキシブルディスク、光磁気ディクス、ＲＯＭ、ＣＤ−ＲＯＭ等の可搬媒体、コンピュータシステムに内蔵されるハードディスク等の記録装置のことを言う。
【００６４】
次に、プルーフの作成にハロゲン化銀感光材料を用いる場合、そのハロゲン化銀感光材料として公知の材料を特に制限無く用いうる。しかし、本発明に合わせて調整された感光材料を用いることが、より正確なプルーフを得るために好ましい。以下、その詳細について説明する。
【００６５】
ハロゲン化銀乳剤としては、９５モル％以上が塩化銀からなるハロゲン化銀乳剤が好ましく、塩化銀、塩臭化銀、塩沃臭化銀、塩沃化銀等任意のハロゲン組成を有するものが用いられる。中でも、塩化銀を９５モル％以上含有する塩臭化銀、中でも臭化銀を高濃度に含有する部分を有するハロゲン化銀乳剤が好ましく用いられ、また、表面近傍に沃化銀を０．０５〜０．５モル％含有する塩沃化銀も好ましく用いられる。臭化銀を高濃度に含有する部分を有するハロゲン化銀乳剤の、高濃度に臭化銀を含有する部分は、いわゆるコア・シェル乳剤であってもよいし、完全な層を形成せず単に部分的に組成の異なる領域が存在するだけのいわゆるエピタキシー接合した領域を形成していてもよい。臭化銀が高濃度に存在する部分は、ハロゲン化銀粒子の表面の結晶粒子の頂点に形成されることが特に好ましい。また、組成は連続的に変化してもよいし不連続に変化してもよい。
【００６６】
ネガ型ハロゲン化銀乳剤には重金属イオンを含有させるのが有利である。これによっていわゆる相反則不軌が改良され、高照度露光での減感が防止されたりシャドー側での軟調化が防止されることが期待される。このような目的に用いることのできる重金属イオンとしては、鉄、イリジウム、白金、パラジウム、ニッケル、ロジウム、オスミウム、ルテニウム、コバルト等の第８〜１０族金属や、カドミウム、亜鉛、水銀などの第１２族遷移金属や、鉛、レニウム、モリブデン、タングステン、ガリウム、クロムの各イオンを挙げることができる。中でも鉄、イリジウム、白金、ルテニウム、ガリウム、オスミウムの金属イオンが好ましい。これらの金属イオンは、塩や、錯塩の形でハロゲン化銀乳剤に添加することができる。前記重金属イオンが錯体を形成する場合には、その配位子としてシアン化物イオン、チオシアン酸イオン、シアン酸イオン、塩化物イオン、臭化物イオン、沃化物イオン、カルボニル、アンモニア、１，２，４−トリアゾール等を挙げることができる。中でも、シアン化物イオン、チオシアン酸イオン、イソチオシアン酸イオン、塩化物イオン、臭化物イオン等が好ましい。ハロゲン化銀乳剤に重金属イオンを含有させるためには、該重金属化合物をハロゲン化銀粒子の形成前、ハロゲン化銀粒子の形成中、ハロゲン化銀粒子の形成後の物理熟成中の各工程の任意の場所で添加すればよい。前述の条件を満たすハロゲン化銀乳剤を得るには、重金属化合物をハロゲン化物塩と一緒に溶解して粒子形成工程の全体或いは一部にわたって連続的に添加することができる。また、あらかじめこれらの重金属化合物を含有するハロゲン化銀微粒子を形成しておいて、これを添加することによって調製することもできる。前記重金属イオンをハロゲン化銀乳剤中に添加するときの量はハロゲン化銀１モル当り１×１０−９モル以上、１×１０−２モル以下がより好ましく、特に１×１０−８モル以上５×１０−５モル以下が好ましい。
【００６７】
粒子の形状は、任意のものを用いることができる。好ましい一つの例は、（１００）面を結晶表面として有する立方体である。また、米国特許第４，１８３，７５６号、同第４，２２５，６６６号、特開昭５５−２６５８９号、特公昭５５−４２７３７号や、ザ・ジャーナル・オブ・フォトグラフィック・サイエンス（Ｊ．Ｐｈｏｔｏｇｒ．ＳＣＩ．）２１、３９（１９７３）等の文献に記載された方法等により、八面体、十四面体、十二面体等の形状を有する粒子をつくり、これを用いることもできる。さらに、双晶面を有する粒子を用いてもよい。
【００６８】
粒子は、単一の形状からなる粒子が好ましく用いられるが、単分散のハロゲン化銀乳剤を二種以上同一層に添加することが特に好ましい。粒子の粒径は、特に制限はないが、迅速処理性及び感度など、他の写真性能などを考慮すると好ましくは、０．１〜１．２μｍ、更に好ましくは、０．２〜１．０μｍの範囲である。この粒径は、粒子の投影面積か直径近似値を使ってこれを測定することができる。粒子が実質的に均一形状である場合は、粒径分布は直径か投影面積としてかなり正確にこれを表すことができる。
【００６９】
ハロゲン化銀粒子の粒径の分布は、好ましくは変動係数が０．２２以下、更に好ましくは０．１５以下の単分散ハロゲン化銀粒子であり、特に好ましくは、変動係数が０．１５以下の単分散乳剤を２種以上同一層に添加することである。ここで変動係数とは、粒径分布の広さを表す係数であり、次式によって定義される。
変動係数＝Ｓ／Ｒ
（ここに、Ｓは粒径分布の標準偏差、Ｒは平均粒径を表す。）
【００７０】
ハロゲン化銀乳剤の調製装置、調製方法としては、当業界において公知の種々の方法を用いることができる。
【００７１】
乳剤は、酸性法、中性法、アンモニア法の何れで得られたものであってもよい。本発明に係るハロゲン化銀粒子は、一時に成長させたものであってもよいし、種粒子を作った後で成長させてもよい。種粒子を作る方法と成長させる方法は同じであっても、異なってもよい。
【００７２】
また、可溶性銀塩と可溶性ハロゲン化物塩を反応させる形式としては、順混合法、逆混合法、同時混合法、それらの組合せなど、いずれでもよいが、同時混合法で得られたものが好ましい。更に同時混合法の一形式として、特開昭５４−４８５２１号公報等に記載されているｐＡｇコントロールド・ダブルジェット法を用いることもできる。
【００７３】
また、特開昭５７−９２５２３号公報、同５７−９２５２４号公報等に記載の反応母液中に配置された添加装置から水溶性銀塩及び水溶性ハロゲン化物塩水溶液を供給する装置、ドイツ公開特許第２，９２１，１６４号公報等に記載された水溶性銀塩及び水溶性ハロゲン化物塩水溶液を連続的に濃度変化して添加する装置、特公昭５６−５０１７７６号公報等に記載の反応器外に反応母液を取り出し、限外濾過法で濃縮することによりハロゲン化銀粒子間の距離を一定に保ちながら粒子形成を行なう装置などを用いてもよい。
【００７４】
更に、必要で有ればチオエーテル等のハロゲン化銀溶剤を用いてもよい。また、メルカプト基を有する化合物、含窒素ヘテロ環化合物または増感色素のような化合物をハロゲン化銀粒子の形成時、または、粒子形成終了の後に添加して用いてもよい。
【００７５】
ネガ型ハロゲン化銀乳剤は、金化合物を用いる増感法、カルコゲン増感剤を用いる増感法を組み合わせて用いることができる。カルコゲン増感剤としては、イオウ増感剤、セレン増感剤、テルル増感剤などを用いることができるが、イオウ増感剤が好ましい。イオウ増感剤としてはチオ硫酸塩、トリエチルチオ尿素、アリルチオカルバミドチオ尿素、アリルイソチアシアネート、シスチン、ｐ−トルエンチオスルホン酸塩、ローダニン、無機イオウ等が挙げられる。
【００７６】
イオウ増感剤の添加量としては、適用されるハロゲン化銀乳剤の種類や期待する効果の大きさなどにより変えることが好ましいが、ハロゲン化銀１モル当たり５×１０−１０〜５×１０−５モルの範囲、好ましくは５×１０−８〜３×１０−５モルの範囲が好ましい。
【００７７】
金増感剤としては、塩化金酸、硫化金等の他各種の金錯体として添加することができる。用いられる配位子化合物としては、ジメチルローダニン、チオシアン酸、メルカプトテトラゾール、メルカプトトリアゾール等を挙げることができる。金化合物の使用量は、ハロゲン化銀乳剤の種類、使用する化合物の種類、熟成条件などによって一様ではないが、通常はハロゲン化銀１モル当たり１×１０−４モル〜１×１０−８モルであることが好ましい。更に好ましくは１×１０−５モル〜１×１０−８モルである。
【００７８】
ネガ型ハロゲン化銀乳剤の化学増感法としては、還元増感法を用いてもよい。
【００７９】
ハロゲン化銀乳剤には、ハロゲン化銀感光材料の調製工程中に生じるカブリを防止したり、保存中の性能変動を小さくしたり、現像時に生じるカブリを防止する目的で公知のカブリ防止剤、安定剤を用いることができる。こうした目的に用いることのできる好ましい化合物の例として、特開平２−１４６０３６号公報７ページ下欄に記載された一般式（ＩＩ）で表される化合物を挙げることができ、さらに好ましい具体的な化合物としては、同公報の８ページに記載の（ＩＩａ−１）〜（ＩＩａ−８）、（ＩＩｂ−１）〜（ＩＩｂ−７）の化合物や、特開２０００−２６７２３５号公報の８ページ右欄３２〜３６行目に記載の化合物を挙げることができる。これらの化合物は、その目的に応じて、ハロゲン化銀乳剤粒子の調製工程、化学増感工程、化学増感工程の終了時、塗布液調製工程などの工程で添加される。これらの化合物の存在下に化学増感を行う場合には、ハロゲン化銀１モル当り１×１０−５〜５×１０−４モル程度の量で好ましく用いられる。化学増感終了時に添加する場合には、ハロゲン化銀１モル当り１×１０−６〜１×１０−２モル程度の量が好ましく、１×１０−５〜５×１０−３モルがより好ましい。塗布液調製工程において、ハロゲン化銀乳剤層に添加する場合には、ハロゲン化銀１モル当り１×１０−６〜１×１０−１モル程度の量が好ましく、１×１０−５〜１×１０−２モルがより好ましい。また、ハロゲン化銀乳剤層以外の層に添加する場合には、塗布被膜中の量が、１ｍ２当り１×１０−９〜１×１０−３モル程度の量が好ましい。
【００８０】
感光材料には、イラジエーション防止やハレーション防止の目的で種々の波長域に吸収を有する染料を用いることができる。この目的で、公知の化合物をいずれも用いることができるが、特に、可視域に吸収を有する染料としては、特開平３−２５１８４０号公報３０８ページに記載のＡＩ−１〜１１の染料および特開平６−３７７０号公報記載の染料が好ましく用いられる。
【００８１】
ハロゲン化銀感光材料は、ハロゲン化銀乳剤層のうち、最も支持体に近いハロゲン化銀乳剤層より支持体に近い側に、少なくとも１層の耐拡散性化合物で着色された親水性コロイド層を有することが好ましい。着色物質としては、染料またはそれ以外の有機、無機の着色物質を用いることができる。
【００８２】
ハロゲン化銀感光材料は、ハロゲン化銀乳剤層のうち、最も支持体に近いハロゲン化銀乳剤層より支持体に近い側に、少なくとも１層の着色された親水性コロイド層を有することが好ましく、該層には、白色顔料を含有していてもよい。例えば、ルチル型二酸化チタン、アナターゼ型二酸化チタン、硫酸バリウム、ステアリン酸バリウム、シリカ、アルミナ、酸化ジルコニウム、カオリン等を用いることができるが、種々の理由から、中でも二酸化チタンが好ましい。白色顔料は、処理液が浸透できるような、例えば、ゼラチン等の親水性コロイドの水溶液バインダー中に分散される。白色顔料の塗布付量は、好ましくは０．１〜５０ｇ／ｍ２の範囲であり、更に好ましくは０．２〜５ｇ／ｍ２の範囲である。
【００８３】
支持体と、支持体から最も近いハロゲン化銀乳剤層との間には、白色顔料含有層の他に、必要に応じて、下塗り層、あるいは任意の位置に中間層等の非感光性親水性コロイド層を設けることができる。
【００８４】
ハロゲン化銀感光材料中に、蛍光増白剤を添加することで白地性をより改良でき好ましい。蛍光増白剤は、紫外線を吸収して可視光の蛍光を発することのできる化合物であれば、特に制限はないが、分子中に少なくとも１個以上のスルホン酸基を有するジアミノスチルベン系化合物であり、これらの化合物には、増感色素の感光材料の系外への溶出を促進する効果もあり好ましい。他の好ましい一つの形態は、蛍光増白効果を有する固体微粒子化合物である。
【００８５】
ハロゲン化銀感光材料には、４００〜９００ｎｍの波長域の特定領域に分光増感されたハロゲン化銀乳剤を含む層を有する。該ハロゲン化銀乳剤は一種または、二種以上の増感色素を組み合わせて含有する。
【００８６】
ハロゲン化銀乳剤に用いる分光増感色素としては、公知の化合物をいずれも用いることができるが、青感光性増感色素としては、特開平３−２５１８４０号公報の２８ページに記載のＢＳ−１〜８を単独でまたは組み合わせて好ましく用いることができる。緑感光性増感色素としては、同公報２８ページに記載のＧＳ−１〜５が好ましく用いられる。赤感光性増感色素としては同公報２９ページに記載のＲＳ−１〜８が好ましく用いられる。
【００８７】
これらの増感色素の添加時期としては、ハロゲン化銀粒子形成から化学増感終了までの任意の時期でよい。また、これらの色素の添加方法としては、水またはメタノール、エタノール、フッ素化アルコール、アセトン、ジメチルホルムアミド等の水と混和性の有機溶媒に溶解し、溶液として添加してもよいし、増感色素を密度が１．０ｇ／ｍｌより大きい水混和性溶媒の溶液または、乳化物、懸濁液として添加してもよい。
【００８８】
増感色素の分散方法としては、高速撹拌型分散機を用いて水系中に機械的に１μｍ以下の微粒子に粉砕・分散する方法以外に、特開昭５８−１０５１４１号に記載のようにｐＨ６〜８、６０〜８０℃の条件下で水系中において機械的に１μｍ以下の微粒子に粉砕・分散する方法、特公昭６０−６４９６号に記載の表面張力を３．８×１０−２Ｎ／ｍ以下に抑える界面活性剤の存在下に分散する方法、特開昭５０−８０８２６号に記載の実質的に水を含まず、ｐＫａが５を上回らない酸に溶解し、該溶解液を水性液に添加分散し、この分散物をハロゲン化銀乳剤に添加する方法等を用いることができる。
【００８９】
分散に用いる分散媒としては水が好ましいが、少量の有機溶媒を含ませて溶解性を調整したり、ゼラチン等の親水性コロイドを添加して分散液の安定性を高めることもできる。
【００９０】
分散液を調製するのに用いることのできる分散装置としては、例えば、特開平４−１２５６３１号公報の第１図に記載の高速撹拌型分散機の他、ボールミル、サンドミル、超音波分散機等を挙げることができる。
【００９１】
また、これらの分散装置を用いるに当たって、特開平４−１２５６３２号公報に記載のように、あらかじめ乾式粉砕などの前処理を施した後、湿式分散を行う等の方法をとってもよい。
【００９２】
ハロゲン化銀感光材料に用いられるカプラーとしては、発色現像主薬の酸化体とカップリング反応して３４０ｎｍより長波長域に分光吸収極大波長を有するカップリング生成物を形成し得るいかなる化合物をも用いることができるが、特に代表的な物としては、波長域３５０〜５００ｎｍに分光吸収極大波長を有するイエロー色素形成カプラー、波長域５００〜６００ｎｍに分光吸収極大波長を有するマゼンタ色素形成カプラー、波長域６００〜７５０ｎｍに分光吸収極大波長を有するシアン色素形成カプラーとして知られているものが代表的である。
【００９３】
感光材料に用いられるマゼンタカプラーとしては、特開平６−９５２８３号公報７ページ右欄記載の一般式［Ｍ−１］で示される化合物が、発色色素の分光吸収特性がよく好ましい。好ましい化合物の具体例としては、同号公報８ページ〜１１ページに記載の化合物Ｍ−１〜Ｍ−１９を挙げることができる。更に、他の具体例としては、欧州公開特許第２７３，７１２号公報の６〜２１頁に記載されている化合物Ｍ−１〜Ｍ−６１及び同第２３５，９１３号公報の３６〜９２頁に記載されている化合物１〜２２３の中の上述の代表的具体例以外のものを挙げることができる。
【００９４】
該マゼンタカプラーは、他の種類のマゼンタカプラーと併用することもでき、通常、ハロゲン化銀１モル当たり１×１０−３〜１モル、好ましくは１×１０−２〜８×１０−１モルの範囲で用いることができる。
【００９５】
感光材料において、形成されるマゼンタ画像の分光吸収のλｍａｘは５３０〜５６０ｎｍであることが好ましく、またλＬ０．２は、５８０〜６３５ｎｍであることが好ましい。λＬ０．２とは、マゼンタ画像の分光吸光度曲線上において、最大吸光度が１．０を示す波長よりも長波で、吸光度が０．２を示す波長をいう。
【００９６】
ハロゲン化銀感光材料のマゼンタ画像形成層には、マゼンタカプラーに加えてイエローカプラーが含有されることが好ましい。これらのカプラーのｐＫａの差は２以内であることが好ましく、更に好ましくは１．５以内である。本発明のマゼンタ画像形成性層に含有させる好ましいイエローカプラーは、特開平６−９５２８３号公報の１２ページ右欄に記載の一般式［Ｙ−Ｉａ］で表されるカプラーである。同公報の一般式［Ｙ−１］で表されるカプラーのうち、特に好ましいものは、一般式［Ｍ−１］で表されるマゼンタカプラーと組み合わせる場合、組み合わせる一般式［Ｍ−１］で表されるカプラーのｐＫａより３以上低くないｐＫａ値より３以上低くないｐＫａ値を有するカプラーである。
【００９７】
該イエローカプラーとして具体的な化合物例は、特開平６−９５２８３号公報１２〜１３ページ記載の化合物Ｙ−１及びＹ−２の他、特開平２−１３９５４２号公報の１３ページから１７ページ記載の化合物（Ｙ−１）〜（Ｙ−５８）を好ましく使用することができるが、もちろんこれらに限定されることはない。
【００９８】
本発明に係る感光材料においてシアン画像形成層中に含有されるシアンカプラーとしては、公知のフェノール系、ナフトール系又はイミダゾール系、アゾール系カプラーを用いることができる。例えば、アルキル基、アシルアミノ基、或いはウレイド基などを置換したフェノール系カプラー、５−アミノナフトール骨格から形成されるナフトール系カプラー、離脱基として酸素原子を導入した２当量型ナフトール系カプラーなどが代表される。このうち好ましい化合物としては特開平６−９５２８３３号１３ページ記載の一般式［Ｃ−Ｉ］、［Ｃ−ＩＩ］が挙げられる。
【００９９】
該シアンカプラーは通常ハロゲン化銀乳剤層において、ハロゲン化銀１モル当たり１×１０−３〜１モル、好ましくは１×１０−２〜８×１０−１モルの範囲で用いることができる。
【０１００】
ハロゲン化銀感光材料においては、イエロー画像形成層中に含有されるイエローカプラーとしては、公知のアシルアセトアニリド系カプラー等を好ましく用いることができる。
【０１０１】
該イエローカプラーの具体例としては、例えば特開平３−２４１３４５号公報の５頁〜９頁に記載の化合物、Ｙ−Ｉ−１〜Ｙ−Ｉ−５５で示される化合物、もしくは特開平３−２０９４６６号公報の１１〜１４頁に記載の化合物、Ｙ−１〜Ｙ−３０で示される化合物も好ましく使用することができる。更に特開平６−９５２８３号公報２１ページ記載の一般式〔Ｙ−Ｉ〕で表されるカプラー等も挙げることができる。
【０１０２】
ハロゲン化銀感光材料により形成されるイエロー画像の分光吸収のλｍａｘは４２５ｎｍ以上であることが好ましく、λＬ０．２は５１５ｎｍ以下であることが好ましい。
【０１０３】
該イエロー色画像の分光吸収のλＬ０．２とは、特開平６−９５２８３号公報２１ページ右欄１行〜２４行に記載の内容で定義される値であり、イエロー色素画像の分光吸収特性で長波側の不要吸収の大きさを表す。
【０１０４】
該イエローカプラーは通常ハロゲン化銀乳剤層において、ハロゲン化銀１モル当たり１×１０−３〜１モル、好ましくは１×１０−２〜８×１０−１モルの範囲で用いることができる。
【０１０５】
感光材料に用いられるカプラーは、通常ハロゲン化銀１モル当り１×１０−３〜１モル、好ましくは１×１０−２〜８×１０−１モルの範囲で用いることができる。
【０１０６】
感光材料には、各種添加剤を用いることができる。例えば、リサーチ・ディスクロージャー（ＲｅｓｅａｒＣｈ  Ｄｉｓｃｌｏｓｕｒｅ）１７６巻、２２〜３１頁（１９７８年１２月）に記載されている如き、通常、感光材料に用いられる色カブリ防止剤、色素画像安定化剤、紫外線防止剤、帯電防止剤、マット剤、界面活性剤等の各種添加剤を用いることができる。
【０１０７】
詳しくは、マゼンタ色画像、シアン色画像及びイエロー色画像の分光吸収特性を調整するために、色調調整作用を有する化合物を添加することが好ましい。このための化合物としては、特開平６−９５２８３号公報２２ページ記載の一般式［ＨＢＳ−Ｉ］に記載されるリン酸エステル系化合物、［ＨＢＳ−ＩＩ］で示されるホスフィンオキサイド系化合物が好ましく、より好ましくは同号公報２２ページ記載の一般式［ＨＢＳ−ＩＩ］で示される化合物である。また、特開平４−２６５９７５号公報の５ページに記載の（ａ−Ｉ）〜（ａ−Ｘ）を代表とする高級アルコール系化合物を挙げることができる。
【０１０８】
前記のマゼンタ、シアン、イエローの各カプラーには、形成された色素画像の光、熱、湿度等による褪色を防止するため褪色防止剤を併用することができる。好ましい化合物としては、特開平２−６６５４１号公報の３ページに記載の一般式ＩおよびＩＩで示されるフェニルエーテル系化合物、特開平３−１７４１５０号公報記載の一般式ＩＩＩＢで示されるフェノール系化合物、特開昭６４−９０４４５号公報記載の一般式Ａで示されるアミン系化合物、特開昭６２−１８２７４１号公報記載の一般式ＸＩＩ、ＸＩＩＩ、ＸＩＶ、ＸＶで示される金属錯体が、特にマゼンタ色素用として好ましい。また特開平１−１９６０４９号公報記載の一般式Ｉ’で示される化合物および特開平５−１１４１７号記載の一般式ＩＩで示される化合物が特にイエロー、シアン色素用として好ましい。
【０１０９】
ハロゲン化銀感光材料に用いられる前記カプラー、ステイン防止剤やその他の有機化合物を添加するのに、水中油滴型乳化分散法を用いる場合には、通常、沸点１５０℃以上の水不溶性高沸点有機溶媒に、必要に応じて低沸点及び／または水溶性有機溶媒を併用して溶解し、ゼラチン水溶液などの親水性バインダー中に界面活性剤を用いて乳化分散する。分散手段としては、撹拌機、ホモジナイザー、コロイドミル、フロージェットミキサー、超音波分散機等を用いることができる。分散後、または、分散と同時に低沸点有機溶媒を除去する工程を入れてもよい。ステイン防止剤等を溶解して分散するために用いることのできる高沸点有機溶媒としては、トリクレジルホスフェート、トリオクチルホスフェート等のリン酸エステル類、トリオクチルホスフィンオキサイド等のホスフィンオキサイド類が好ましく用いられる。また、高沸点有機溶媒の誘電率としては３．５〜７．０であることが好ましい。また２種以上の高沸点有機溶媒を併用することもできる。
【０１１０】
感光材料に用いられる写真用添加剤の分散や塗布時の表面張力調整のため用いられる界面活性剤として好ましい化合物としては、１分子中に炭素数８〜３０の疎水性基とスルホン酸基またはその塩を含有するものが挙げられる。具体的には、特開昭６４−２６８５４号公報記載のＡ−１〜Ａ−１１が挙げられる。また、アルキル基に弗素原子を置換した界面活性剤も好ましく用いられる。これらの分散液は通常ハロゲン化銀乳剤を含有する塗布液に添加されるが、分散後塗布液に添加されるまでの時間、および塗布液に添加後塗布までの時間は短いほうがよく各々１０時間以内が好ましく、より好ましくは３時間以内であり、さらに好ましくは２０分以内である。
【０１１１】
ハロゲン化銀感光材料には、現像主薬酸化体と反応する化合物を感光層と感光層の間の層に添加して、色濁りを防止したりまたハロゲン化銀乳剤層に添加してカブリ等を改良することが好ましい。このための化合物としてはハイドロキノン誘導体が好ましく、さらに好ましくは２，５−ジ−ｔ−オクチルハイドロキノンのようなジアルキルハイドロキノンである。特に好ましい化合物は特開平４−１３３０５６号公報記載の一般式ＩＩで示される化合物であり、同号公報１３〜１４ページ記載の化合物ＩＩ−１〜ＩＩ−１４および１７ページ記載の化合物１が挙げられる。
【０１１２】
感光材料中には、紫外線吸収剤を添加してスタチックカブリを防止したり色素画像の耐光性を改良することが好ましい。好ましい紫外線吸収剤としてはベンゾトリアゾール類が挙げられ、特に好ましい化合物としては特開平１−２５０９４４号公報記載の一般式ＩＩＩ−３で示される化合物、特開昭６４−６６６４６号公報記載の一般式ＩＩＩで示される化合物、特開昭６３−１８７２４０号公報記載のＵＶ−１Ｌ〜ＵＶ−２７Ｌ、特開平４−１６３３号公報記載の一般式Ｉで示される化合物、特開平５−１６５１４４号公報記載の一般式（Ｉ）、（ＩＩ）で示される化合物が挙げられる。
【０１１３】
感光材料には、油溶性染料や顔料を含有すると白地性が改良され好ましい。油溶性染料の代表的具体例は、特開平２−８４２号公報の８〜９ページに記載の化合物１〜２７が挙げられる。
【０１１４】
ハロゲン化銀感光材料には、バインダーとしてゼラチンを用いることが有利であるが、必要に応じて他のゼラチン、ゼラチン誘導体、ゼラチンと他の高分子のグラフトポリマー、ゼラチン以外のタンパク質、糖誘導体、セルロース誘導体、単一あるいは共重合体のごとき合成親水性高分子物質等の親水性コロイドも用いることができる。
【０１１５】
これらバインダーの硬膜剤としては、ビニルスルホン型硬膜剤やクロロトリアジン型硬膜剤を単独または併用して使用することが好ましい。特開昭６１−２４９０５４号公報、同６１−２４５１５３号公報記載の化合物を使用することが好ましい。また、写真性能や画像保存性に悪影響するカビや細菌の繁殖を防ぐためコロイド層中に特開平３−１５７６４６号公報記載のような防腐剤および抗カビ剤を添加することが好ましい。また、感光材料または処理後の試料の表面の物性を改良するため、保護層に特開平６−１１８５４３号公報や特開平２−７３２５０号公報記載の滑り剤やマット剤を添加することが好ましい。
【０１１６】
感光材料に用いる支持体としては、どのような材質を用いてもよく、ポリエチレンやポリエチレンテレフタレートで被覆した紙、天然パルプや合成パルプからなる紙支持体、塩化ビニルシート、白色顔料を含有してもよいポリプロピレン、ポリエチレンテレフタレート支持体、バライタ紙などを用いることができる。なかでも、原紙の両面に耐水性樹脂被覆層を有する支持体が好ましい。耐水性樹脂としてはポリエチレンやポリエチレンテレフタレートまたはそれらのコポリマーが好ましい。
【０１１７】
紙の表面に耐水性樹脂被覆層を有する支持体は、通常、５０〜３００ｇ／ｍ２の質量を有する表面の平滑なものが用いられるが、プルーフ画像を得る目的に対しては、取り扱いの感覚を印刷用紙に近づけるため、１３０ｇ／ｍ２以下の原紙が好ましく用いられ、さらに７０〜１２０ｇ／ｍ２の原紙が好ましく用いられる。支持体としては、ランダムな凹凸を有するものであっても平滑なものであっても好ましく用いることができる。
【０１１８】
支持体に用いられる白色顔料としては、無機及び／または有機の白色顔料を用いることができ、好ましくは無機の白色顔料が用いられる。例えば、硫酸バリウム等のアルカリ土類金属の硫酸塩、炭酸カルシウム等のアルカリ土類金属の炭酸塩、微粉ケイ酸、合成ケイ酸塩等のシリカ類、ケイ酸カルシウム、アルミナ、アルミナ水和物、酸化チタン、酸化亜鉛、タルク、クレイ等があげられる。白色顔料は好ましくは硫酸バリウム、酸化チタンである。
【０１１９】
支持体の表面の耐水性樹脂層中に含有される白色顔料の量は、鮮鋭性を改良するうえで１３質量％以上が好ましく、さらには１５質量％が好ましい。
【０１２０】
紙支持体の耐水性樹脂層中の白色顔料の分散度は、特開平２−２８６４０号公報に記載の方法で測定することができる。この方法で測定したときに、白色顔料の分散度が前記公報に記載の変動係数として０．２０以下であることが好ましく、０．１５以下であることがより好ましい。
【０１２１】
両面に耐水性樹脂層を有する紙支持体の樹脂層は、１層であってもよいし、複数層からなってもよい。複数層とし、乳剤層と接する方に白色顔料を高濃度で含有させると鮮鋭性の向上が大きく、プルーフ用画像を形成するのに好ましい。
【０１２２】
また、支持体の中心面平均粗さ（ＳＲａ）の値が０．１５μｍ以下、更には０．１２μｍ以下であることが、光沢性に優れた効果を発揮することができ好ましい。
【０１２３】
感光材料は、必要に応じて支持体表面にコロナ放電、紫外線照射、火炎処理等を施した後、直接または下塗層（支持体表面の接着性、帯電防止性、寸度安定性、耐摩擦性、硬さ、ハレーション防止性、摩擦特性及び／またはその他の特性を向上するための１または２以上の下塗層）を介して塗布されていてもよい。
【０１２４】
ハロゲン化銀乳剤を用いた写真感光材料の塗布に際して、塗布性を向上させるために増粘剤を用いてもよい。塗布法としては２種以上の層を同時に塗布することのできるエクストルージョンコーティング及びカーテンコーティングが特に有用である。本発明に用いるハロゲン化銀感光材料の好ましい例としては、特開２００２−３４１４７０号実施例に記載のハロゲン化銀感光材料Ｎｏ．１０１を挙げることができる。
【０１２５】
感光材料は、当業界公知の発色現像処理を行なうことにより画像を形成することができる。発色現像後、漂白処理、定着処理を施される。漂白処理は定着処理と同時に行なってもよい。定着処理の後は、通常は水洗処理が行なわれる。また水洗処理の代替えとして安定化処理を行なってもよいし、両者を併用してもよい。
【０１２６】
感光材料は、親水性コロイド層中に発色現像主薬そのものを、あるいはそのプレカーサーとして含有し、アルカリ性の活性化浴により処理することもできる。
【０１２７】
現像主薬としては、芳香族一級アミン現像主薬が好ましく、公知の化合物を用いることができる。これらの化合物の例としては、Ｎ，Ｎ−ジエチル−ｐ−フェニレンジアミン、２−アミノ−５−ジエチルアミノトルエン、２−アミノ−５−（Ｎ−エチル−Ｎ−ラウリルアミノ）トルエン、４−（Ｎ−エチル−Ｎ−（β−ヒドロキシエチル）アミノ）アニリン、２−メチル−４−（Ｎ−エチル−Ｎ−（β−ヒドロキシエチル）アミノ）アニリン、４−アミノ−３−メチル−Ｎ−エチル−Ｎ−（β−（メタンスルホンアミド）エチル）−アニリン、Ｎ−（２−アミノ−５−ジエチルアミノフェニルエチル）メタンスルホンアミド、Ｎ，Ｎ−ジメチル−ｐ−フェニレンジアミン、４−アミノ−３−メチル−Ｎ−エチル−Ｎ−メトキシエチルアニリン、４−アミノ−３−メチル−Ｎ−エチル−Ｎ−（β−エトキシエチル）アニリン、４−アミノ−３−メチル−Ｎ−エチル−Ｎ−（γ−ヒドロキシプロピル）アニリン等を挙げることができる。
【０１２８】
上記現像主薬を含む発色現像液を、任意のｐＨ域で使用できるが、迅速処理の観点からｐＨ９．５〜１３．０であることが好ましく、より好ましくはｐＨ９．８〜１２．０の範囲で用いられる。
【０１２９】
発色現像の処理温度は、３５℃以上、７０℃以下が好ましい。温度が高いほど短時間の処理が可能であり好ましいが、処理液の安定性からはあまり高くない方が好ましく、３７℃以上６０℃以下で処理することが好ましい。発色現像時間は、従来一般には３分３０秒程度で行われているが、本発明では４０秒以内が好ましく、さらに２５秒以内の範囲で行うことがさらに好ましい。
【０１３０】
発色現像液には、前記の発色現像主薬に加えて、既知の現像液成分化合物を添加することができる。通常、ｐＨ緩衝作用を有するアルカリ剤、塩化物イオン、ベンゾトリアゾール類等の現像抑制剤、保恒剤、キレート剤などが用いられる。
【０１３１】
ハロゲン化銀感光材料は、発色現像後、漂白処理及び定着処理を施される。漂白処理は定着処理と同時に行なってもよい。定着処理の後は、通常は水洗処理が行なわれる。また、水洗処理の代替として、安定化処理を行なってもよい。
【０１３２】
ハロゲン化銀感光材料の現像処理に用いる現像処理装置としては、処理槽に配置されたローラーに感光材料をはさんで搬送するローラートランスポートタイプであっても、ベルトに感光材料を固定して搬送するエンドレスベルト方式であってもよいが、処理槽をスリット状に形成して、この処理槽に処理液を供給するとともに感光材料を搬送する方式や処理液を噴霧状にするスプレー方式、処理液を含浸させた担体との接触によるウエッブ方式、粘性処理液による方式なども用いることができる。大量に処理する場合には、自動現像機を用いてランニング処理されるのが通常だが、この際、補充液の補充量は少ない程好ましく、環境適性等より最も好ましい処理形態は、補充方法として錠剤の形態で処理剤を添加することであり、公開技報９４−１６９３５号公報に記載の方法が最も好ましい。
【０１３３】
【発明の効果】
多大な労力を要することなく多様な印刷物に対応でき、かつ目標印刷物により近似したプルーフが得られる。また、プルーフ構成材料の特性の変化などにも容易に対応ができ、ユーザーごとの好み、印刷条件の違いなどにもきめ細かく対応できる。
【図面の簡単な説明】
【図１】デジタル画像データの例を示した図である。
【図２】面積階調画像の形成システムの概要を図示したブロック図である
【図３】第２のルックアップテーブルの例を示した図である。
【図４】第３のルックアップテーブルの例を示した図である。
【図５】露光制御テーブルの例を示した図である。
【図６】第３のルックアップテーブルの生成フローの概略を示した図である。
【図７】Ｓ００８ステップにおける概略フローを示した図である。
【図８】ハロゲン化銀感光材料を露光し、プルーフ画像を形成する処理の概略フローを示した図である。
【図９】スタンドアローンのコンピュータ上にシステムが構築されている例のブロック図である。
【図１０】システムがインターネットを利用して構成されている例の概念図である。
【図１】
2004229245.tif 000003
【図２】
2004229245.tif 000004
【図３】
2004229245.tif 000005
【図４】
2004229245.tif 000006
【図５】
2004229245.tif 000007
【図６】
2004229245.tif 000008
【図７】
2004229245.tif 000009
【図８】
2004229245.tif 000010
【図９】
2004229245.tif 000011
【図１０】
2004229245.tif 000012